【手続補正書】
【提出日】平成21年12月10日(2009.12.10)
【手続補正１】
【補正対象書類名】特許請求の範囲
【補正対象項目名】全文
【補正方法】変更
【補正の内容】
【特許請求の範囲】
【請求項１】
二次元に配列された複数の画素電極が配置された表示領域を有する第１の基板と、
少なくとも前記画素電極と対向するように設けられた光透過性電極を有する第２の基板と、
前記第１の基板の前記表示領域の周辺を囲うように配置され、前記第１の基板と前記第２の基板とを貼り合わせるシール材と、
前記第１の基板と前記第２の基板との間で前記シール材に囲まれた領域に配された液晶と、を有する液晶表示装置において、
前記第１の基板の前記シール材が配置されるシール領域に、前記画素電極と同一又は類似した形状の複数のダミー電極が配置され、
前記シール領域の内縁の複数の前記ダミー電極は、該ダミー電極の幅より細い連結部材によって、前記シール領域の内縁の周方向に沿って連結されていることを特徴とする液晶表示装置。
【請求項２】
前記シール領域の外縁の複数の前記ダミー電極は、該ダミー電極の幅より細い連結部材によって、前記シール領域の外縁の周方向に沿って連結されていることを特徴とする請求項１に記載の液晶表示装置。
【請求項３】
前記第１の基板は、前記シール領域と前記表示領域との間に非表示領域を有し、該非表示領域に前記画素電極と同一又は類似した形状の複数の第２のダミー電極を備え、
前記非表示領域の少なくとも外縁の複数の前記第２のダミー電極は、該第２のダミー電極の幅より細い連結部材によって、前記非表示領域の外縁の周方向に沿って連結されていることを特徴とする請求項１又は２に記載の液晶表示装置。
【請求項４】
前記第１の基板は、前記シール領域の外側にシール外領域を有し、該シール外領域に前記画素電極と同一又は類似した形状の複数の第３のダミー電極を備え、
前記シール外領域の少なくとも内縁の複数の前記第３のダミー電極は、該第３のダミー電極の幅より細い連結部材によって、前記シール外領域の内縁の周方向に沿って連結されていることを特徴とする請求項１から３のいずれか１項に記載の液晶表示装置。
【請求項５】
前記第１の基板は半導体基板であり、前記画素電極は反射電極であることを特徴とする請求項１から４のいずれか１項に記載の液晶表示装置。
【請求項６】
複数の前記ダミー電極は、前記ダミー電極より細い連結部材によって、前記シール領域の周方向に垂直な方向に連結されていることを特徴とする請求項１から５のいずれか１項に記載の液晶表示装置。
【請求項７】
複数の前記ダミー電極及び複数の前記第２のダミー電極は、前記ダミー電極及び前記第２のダミー電極より細い連結部材によって、前記シール領域の周方向に垂直な方向及び前記非表示領域の外縁の周方向に垂直な方向に連結されていることを特徴とする請求項３に記載の液晶表示装置。
【請求項８】
複数の前記ダミー電極及び複数の前記第３のダミー電極は、前記ダミー電極及び前記第３のダミー電極より細い連結部材によって、前記シール領域の周方向に垂直な方向及び前記シール外領域の内縁の周方向に垂直な方向に連結されていることを特徴とする請求項４に記載の液晶表示装置。
【請求項９】
請求項１から８のいずれかに記載の連結部材は、前記ダミー電極、前記第２のダミー電極又は前記第３のダミー電極と同一材料からなることを特徴とする請求項１から８のいずれかに記載の液晶表示装置。
【請求項１０】
請求項１から９のいずれか１項に記載の液晶表示装置と、該液晶表示装置に光を出す光源と、前記液晶表示装置からの画像光を投射する投影レンズと、を有する液晶プロジェクター装置。
【請求項１１】
請求項１０に記載の液晶プロジェクター装置と、該液晶プロジェクター装置からの画像光を背面に投射するスクリーンとを備えたリアプロジェクション装置。
【請求項１２】
表示領域に二次元に配列された複数の画素電極と、
前記表示領域の周辺を囲うように配置されシール材が配置されるシール領域に設けられた、前記画素電極と同一又は類似した形状の複数のダミー電極とを備え、
前記シール領域の内縁の複数の前記ダミー電極は、該ダミー電極の幅より細い連結部材によって、前記シール領域の内縁の周方向に沿って連結されていることを特徴とするアクティブマトリクス基板。
【請求項１３】
前記シール領域の外縁の複数の前記ダミー電極は、該ダミー電極の幅より細い連結部材によって、前記シール領域の外縁の周方向に沿って連結されていることを特徴とする請求項１２に記載のアクティブマトリクス基板。
【請求項１４】
前記シール領域と前記表示領域との間に非表示領域を有し、該非表示領域に前記画素電極と同一又は類似した形状の複数の第２のダミー電極を備え、
前記非表示領域の少なくとも外縁の複数の前記第２のダミー電極は、該第２のダミー電極の幅より細い連結部材によって、前記非表示領域の外縁の周方向に沿って連結されていることを特徴とする請求項１２又は１３に記載のアクティブマトリクス基板。
【請求項１５】
前記シール領域の外側にシール外領域を有し、該シール外領域に前記画素電極と同一又は類似した形状の複数の第３のダミー電極を備え、
前記シール外領域の少なくとも内縁の複数の前記第３のダミー電極は、該第３のダミー電極の幅より細い連結部材によって、前記シール外領域の内縁の周方向に沿って連結されていることを特徴とする請求項１２から１４のいずれか１項に記載のアクティブマトリクス基板。
【請求項１６】
複数の前記ダミー電極は、前記ダミー電極より細い連結部材によって、前記シール領域の周方向に垂直な方向に連結されていることを特徴とする請求項１２から１５のいずれか１項に記載のアクティブマトリクス基板。
【請求項１７】
複数の前記ダミー電極及び複数の前記第２のダミー電極は、前記ダミー電極及び前記第２のダミー電極より細い連結部材によって、前記シール領域の周方向に垂直な方向及び前記非表示領域の外縁の周方向に垂直な方向に連結されていることを特徴とする請求項１４に記載のアクティブマトリクス基板。
【請求項１８】
複数の前記ダミー電極及び複数の前記第３のダミー電極は、前記ダミー電極及び前記第３のダミー電極より細い連結部材によって、前記シール領域の周方向に垂直な方向及び前記シール外領域の内縁の周方向に垂直な方向に連結されていることを特徴とする請求項１５に記載のアクティブマトリクス基板。
【請求項１９】
請求項１２から１８のいずれかに記載の連結部材は、前記ダミー電極、前記第２のダミー電極又は前記第３のダミー電極と同一材料からなることを特徴とする請求項１２から１８のいずれかに記載のアクティブマトリクス基板。
【手続補正２】
【補正対象書類名】明細書
【補正対象項目名】００１０
【補正方法】変更
【補正の内容】
【００１０】
本発明の液晶表示装置は、二次元に配列された複数の画素電極が配置された表示領域を有する第１の基板と、少なくとも前記画素電極と対向するように設けられた光透過性電極を有する第２の基板と、前記第１の基板の前記表示領域の周辺を囲うように配置され、前記第１の基板と前記第２の基板とを貼り合わせるシール材と、前記第１の基板と前記第２の基板との間で前記シール材に囲まれた領域に配された液晶と、を有する液晶表示装置において、前記第１の基板の前記シール材が配置されるシール領域に、前記画素電極と同一又は類似した形状の複数のダミー電極が配置され、前記シール領域の内縁の複数の前記ダミー電極は、該ダミー電極の幅より細い連結部材によって、前記シール領域の内縁の周方向に沿って連結されていることを特徴とする。
【手続補正３】
【補正対象書類名】明細書
【補正対象項目名】００１２
【補正方法】変更
【補正の内容】
【００１２】
本発明のアクティブマトリクス基板は、表示領域に二次元に配列された複数の画素電極と、前記表示領域の周辺を囲うように配置されシール材が配置されるシール領域に設けられた、前記画素電極と同一又は類似した形状の複数のダミー電極とを備え、前記シール領域の内縁の複数の前記ダミー電極は、該ダミー電極の幅より細い連結部材によって、前記シール領域の内縁の周方向に沿って連結されていることを特徴とする。